(57)【要約】【課題】動翼の過度な振動を防止する。【解決手段】共振チャンバ（２６）が設けられており、該共振チャンバ（２６）は、前記外環（１４）に面した前記動翼（１２）の翼根部（１３）の半径方向突出部により画成された前記外環（１４）の領域に、開口（２４）を有していることを特徴とする。【選択図】図１
2015183693.tif 000002
【特許請求の範囲】
【請求項１】
蒸気タービンであって、
ロータ（８）と、
該ロータ（８）に取り付けられた翼根部（１３）から先端部（２２）まで半径方向に延在する、周方向に配分されて配置された、回転する動翼（１２）の列と、
前記動翼（１２）の列を周方向に取り囲む外環（１４）とを有しているものにおいて、
共振チャンバ（２６）が設けられており、該共振チャンバ（２６）は、前記外環（１４）に面した前記動翼（１２）の翼根部（１３）の半径方向突出部により画成された前記外環（１４）の領域に、開口（２４）を有していることを特徴とする、蒸気タービン。
【請求項２】
前記開口（２４）は、前記動翼（１２）の先端領域とは反対側に位置している、請求項１記載の蒸気タービン。
【請求項３】
周方向に配分されて配置された複数の前記共振チャンバ（２６）を有する、請求項１又は２記載の蒸気タービン。
【請求項４】
前記共振チャンバ（２６）は、２．５〜６エンジンオーダの周波数用に構成されている、請求項１から３までのいずれか１項記載の蒸気タービン。
【請求項５】
前記共振チャンバ（２６）は、３〜５エンジンオーダの周波数用に構成されている、請求項４記載の蒸気タービン。
【請求項６】
前記共振チャンバ（２６）は、ヘルムホルツ共振器（２６）として構成されている、請求項１から５までのいずれか１項記載の蒸気タービン。
【請求項７】
前記蒸気タービンは、下流の最終段（１８）を有する多段式の蒸気タービンであり、前記動翼（１２）の列は、前記最終段（１８）の動翼（１２）である、請求項１から６までのいずれか１項記載の蒸気タービン。
【請求項８】
前記蒸気タービンは、大気圧以下の排気圧で運転するように構成された低圧蒸気タービンである、請求項１から７までのいずれか１項記載の蒸気タービン。
【発明の詳細な説明】
【技術分野】
【０００１】
本明細書は、概して蒸気タービンに関し、より詳細には、蒸気タービンの動翼の振動を低減させるシステムに関する。
【背景技術】
【０００２】
タービンの動翼は、その設計が複雑であることから、モードと呼ばれる動翼の固有振動数に対応する振動数の振動を被る恐れがある。各モードは、タービンの回転軸に沿った振動、タービンの回転軸に対して垂直な振動等、といった、異なるタイプの振動に関連している。動翼の過度な振動を防止するために、動翼の標準位置、標準設計手順に関しては、前記モードが、蒸気タービンの運転周波数のハーモニクス間に位置するように、動翼を構成することが規定されている。しかしながら、製造誤差、ロータに対する動翼の取付け変更、侵食による動翼の幾何学形状変化、タービンの運転周波数変更、及びその他の要因により、モード振動数は、運転周波数のハーモニクスに近づいてしまう。付加的に、損傷を惹起する非同期振動も生じる恐れがある。典型的には、蒸気タービンにおける非同期振動は、低蒸気流と高背圧とが、タービン動翼のランダム加振を生ぜしめるバフェッティングの結果として、又はタービンロータのねじり応力の結果として生じる可能性がある。
【０００３】
米国特許第４７２２６６８号公報に記載されたようなマグネット継手を含む、多様な振動抑制方法が知られている一方で、米国特許出願公開第２０１３／０２８００５０Ａ１号明細書に記載されたような流体注入や、米国特許第４８７８８１０Ａ号公報に記載されたような動翼の同調は、なお、択一的な振動防止方法を必要とする。
【先行技術文献】
【特許文献】
【０００４】
【特許文献１】米国特許第４７２２６６８号公報
【特許文献２】米国特許出願公開第２０１３／０２８００５０Ａ１号明細書
【特許文献３】米国特許第４８７８８１０Ａ号公報
【発明の概要】
【０００５】
蒸気タービンの動翼の振動抑制システムを説明する。
【発明が解決しようとする課題】
【０００６】
本発明はこの問題に、独立請求項に記載の構成手段により対処しようとするものである。有利な実施形態は、従属請求項に記載されている。
【課題を解決するための手段】
【０００７】
前記課題を解決するために本発明では、共振チャンバが設けられており、該共振チャンバは、前記外環に面した前記動翼の翼根部の半径方向突出部により画成された前記外環の領域に、開口を有している。
【発明の効果】
【０００８】
本明細書は、ヘルムホルツ共振器といった受動的な共振器を、動翼の回転部分の軸方向上部に配置して、励振周波数を変更する、という概念に基づくものである。
【０００９】
１つの態様では、蒸気タービンは、ロータと、周方向に配分されて配置された回転動翼列とを備えており、回転動翼は、ロータに取り付けられた翼根部から先端部まで、半径方向に延在している。回転動翼列は、周囲を外環によって取り囲まれている。蒸気タービンは更に、共振チャンバを有しており、この共振チャンバは、動翼の先端領域とは反対側に位置する外環に面した、動翼の翼根部の半径方向突出部により画成される外環の領域に、開口を有している。このような配置により、共振器が動翼列の励振周波数を変化させる、ということが可能になる。
【００１０】
１つの態様は、周方向に配分されて配置された複数の共振チャンバを有している。
【００１１】
１つの態様では、共振チャンバは、好適には２．５〜６エンジンオーダの周波数用、より好適には３〜５エンジンオーダの周波数用に構成されている。
【００１２】
１つの態様では、共振チャンバはヘルムホルツ共振器として構成されている。
【００１３】
１つの態様では、蒸気タービンは、下流の最終段を有する多段式の蒸気タービンであり、共振チャンバの開口が配置される動翼列は、最終段の動翼である。蒸気タービンは、大気圧以下の排気圧で運転するように構成された、低圧蒸気タービンであってよい。
【００１４】
本発明の更なる課題は、従来技術の欠点及び短所を克服するか、少なくとも改良すること、又は有用な代替を提供することにある。
【００１５】
本明細書の別の態様及び利点は、本発明の実施形態を例示した添付図面に関する、以下の説明により明らかになる。
【００１６】
以下に例として、本明細書の１つの実施形態を添付の図面を参照してより詳しく説明する。
【図面の簡単な説明】
【００１７】
【図１】共振チャンバを有する蒸気タービンの好適な実施形態を概略的に示した図である。
【図２】ヘルムホルツ共振器を備える、図１に示した蒸気タービンの概略図である。
【発明を実施するための形態】
【００１８】
以下に本明細書の実施形態を図面につき説明する。同じ符号は終始、同じ要素に対して用いられる。以下の記載には説明目的で多数の具体的な詳細が記載されており、本明細書の十分な理解を図っている。しかしながら本明細書は、これらの具体的な詳細無しで実施されてよく、ここに記載された実施形態に限定されてはいない。
【００１９】
図１に示すように、１つの実施形態において蒸気タービンは、ロータ８と、ロータ８に組み付けられた翼根部１３から先端部分２２まで半径方向に延びる、周方向に配分されて配置された回転動翼１２の列と、動翼１２の列を周方向に取り囲んで外側の環１４を形成する外環１４とを有している。蒸気タービンの１つの段１８は、静翼１０の１つの列と、回転動翼１２の１つの列とを組み合わせたものとして規定される。このような蒸気タービンは、発電に使用され得る。
【００２０】
図１に示した実施形態の多段式蒸気タービンにおいて、最終段１８は、多段式蒸気タービンの下流の段として規定されている。
【００２１】
１つの実施形態では、蒸気タービンは、大気圧以下の排気圧を有することにより規定される、低圧蒸気タービンである。
【００２２】
図１に示した実施形態は、共振チャンバ２６を有しており、共振チャンバ２６は、環１４に面した動翼１２の翼根部１３の半径方向突出部２０によって画成される環１４の領域において、外環１４に設けられた開口２４を有している。別の実施形態では、開口２４は、動翼１２の先端部領域２２とは反対側に位置している。
【００２３】
共振チャンバ２６は、開口を備えた、包囲された空間として規定され、この包囲された空間は、内部で圧力波を反射するように構成された内側表面を有している。チャンバに入射する波は跳ね返って、チャンバ内を低損失で進行する。チャンバの材料、特に実際の内壁の材料、チャンバの形状及び開口の位置、並びに内壁の仕上げ（多孔率）は、共振チャンバの減衰効果に寄与する。これらの実施形態において、共振チャンバ２６は、図２に示すヘルムホルツ共振器２６を含め、共振チャンバ２６の機能を果たすことが可能な公知技術の如何なる形態を取っていてもよい。
【００２４】
特に、低圧タービンの最終段の動翼に関しては、共振チャンバの周波数を２．５〜６エンジンオーダに、特に３〜５エンジンオーダに同調させると、特に有利であるということが判った。
【００２５】
本明細書は、最も実際的な実施形態であると考えられるものを図示して説明しているが、当業者は、本明細書が別の特有の形態で実施され得るということを認識されたい。よって、上述した実施形態は、あらゆる点において例示したものに過ぎず、限定的なものではないと理解される。本明細書の範囲は、前述の説明よりもむしろ、添付の請求の範囲によって示されるものであり、その意味、範囲及び均等のあらゆる変更は、請求の範囲に含まれるものである。
【符号の説明】
【００２６】
８  ロータ、  １０  静翼、  １２  動翼、  １３  翼根部、  １４  外環、  １８  最終段、  ２０  半径方向突出部、  ２２  先端部、  ２４  開口、  ２６  共振チャンバ
【図１】
2015183693.tif 000003
【図２】
2015183693.tif 000004
【外国語明細書】
2015183693.tif 000005
2015183693.tif 000006
2015183693.tif 000007
2015183693.tif 000008
2015183693.tif 000009
2015183693.tif 000010
2015183693.tif 000011
2015183693.tif 000012